(57)【特許請求の範囲】
【請求項１】
携帯可能かつバッテリ駆動可能な情報処理装置であって、
光ディスクを入れるトレイを備えた光ディスク装置と、
前記光ディスク装置内からトレイを排出させるためのスイッチと、
前記光ディスク装置及び他のハードウェアへの電源部からの電力の供給を制御する電源制御手段と、を備え、
前記電源制御手段は、前記他のハードウェアに対する電力の供給を停止させた後、
前記電源部が外部電源に接続されていない場合は、前記光ディスク装置に対する電力の供給を停止させ、
一方、前記電源部が前記外部電源に接続されている場合は、前記光ディスク装置に対する電力の供給を所定時間継続させ、さらにこの所定時間内に前記スイッチに対する入力があった場合、前記トレイを排出して前記光ディスク装置への電力の供給を停止させる、情報処理装置。
【請求項２】
トレイ及びトレイ排出用のスイッチが設けられた光ディスク装置を備える携帯可能かつバッテリ駆動可能な情報処理装置の電源制御方法であって、
前記光ディスク装置及び前記情報処理装置内の他のハードウェアに電力を供給し、
前記他のハードウェアに対する電力の供給を停止させ、
前記他のハードウェアに対する電力の供給を停止させた後、電源部が外部電源に接続されていない場合は、前記光ディスク装置に対する電力の供給を停止させ、
前記他のハードウェアに対する電力の供給を停止させた後、前記電源部が前記外部電源に接続されている場合は、前記光ディスク装置に対する電力の供給を所定時間継続させ、さらにこの所定時間内に前記スイッチに対する入力があった場合、前記トレイを排出して前記光ディスク装置への電力の供給を停止させる、電源制御方法。
【発明の詳細な説明】
【技術分野】
【０００１】
本発明の実施の形態は、情報処理装置及び電源制御方法に関する。
【背景技術】
【０００２】
パーソナルコンピュータ等の情報処理装置に設けられる光ディスク装置において各種の省電力制御が施されている。
例えば、パーソナルコンピュータ本体の電源がＯＮ状態である場合に光ディスクが挿入されると、光ディスク装置に一定時間は電力供給し、その後電力供給を停止することが行われている。
【先行技術文献】
【特許文献】
【０００３】
【特許文献１】特開２００７−２３４２０２号公報
【発明の概要】
【発明が解決しようとする課題】
【０００４】
一方、パーソナルコンピュータ本体の電源をＯＦＦ状態である場合、光ディスク装置に対する電源供給も停止される。従って、光ディスク装置内にメディアを残したままパーソナルコンピュータ本体の電源をＯＦＦした場合、メディアを取り出すためには再び本体電源をＯＮする必要があった。本体電源をＯＮし起動するまでには時間がかかるので、迅速に光ディスク装置からメディアを取り出したいというニーズがある。
【０００５】
そこで本発明の実施形態は、情報処理装置本体の電源供給を停止した場合でも内蔵の光ディスク装置を動作させることができる情報処理装置及び電源制御方法を提供することを目的とする。
【課題を解決するための手段】
【０００６】
実施形態によれば、情報処理装置は、携帯可能かつバッテリ駆動可能な情報処理装置であって、光ディスクを入れるトレイを備えた光ディスク装置と、前記光ディスク装置内からトレイを排出させるためのスイッチと、前記光ディスク装置及び他のハードウェアへの電源部からの電力の供給を制御する電源制御手段と、を備え、前記電源制御手段は、前記他のハードウェアに対する電力の供給を停止させた後、前記電源部が外部電源に接続されていない場合は、前記光ディスク装置に対する電力の供給を停止させ、一方、前記電源部が前記外部電源に接続されている場合は、前記光ディスク装置に対する電力の供給を所定時間継続させ、さらにこの所定時間内に前記スイッチに対する入力があった場合、前記トレイを排出して前記光ディスク装置への電力の供給を停止させる。
【０００７】
また、実施形態によれば、電源制御方法は、トレイ及びトレイ排出用のスイッチが設けられた光ディスク装置を備える携帯可能かつバッテリ駆動可能な情報処理装置の電源制御方法であって、前記光ディスク装置及び前記情報処理装置内の他のハードウェアに電力を供給し、前記他のハードウェアに対する電力の供給を停止させ、前記他のハードウェアに対する電力の供給を停止させた後、電源部が外部電源に接続されていない場合は、前記光ディスク装置に対する電力の供給を停止させ、前記他のハードウェアに対する電力の供給を停止させた後、前記電源部が前記外部電源に接続されている場合は、前記光ディスク装置に対する電力の供給を所定時間継続させ、さらにこの所定時間内に前記スイッチに対する入力があった場合、前記トレイを排出して前記光ディスク装置への電力の供給を停止させる。
【図面の簡単な説明】
【０００８】
【図１】実施形態の情報処理装置の外観を示す図。
【図２】実施形態の情報処理装置の機能を示すブロック図。
【図３】実施形態の情報処理装置の電源供給停止の手順を説明する図。
【図４】実施形態の情報処理装置の電源制御手順を示すフローチャート。
【発明を実施するための形態】
【０００９】
以下、実施の形態について、図面を参照しながら説明する。
まず、本実施の形態における情報処理装置を、図１を参照しながら説明する。図１は、実施形態の情報処理装置の外観を示す図である。本実施の形態においては、情報処理装置としてパーソナルコンピュータ１を例にして説明する。本実施の形態におけるパーソナルコンピュータ１は、ＯＤＤ（Ｏｐｔｉｃａｌ  Ｄｉｓｋ  Ｄｒｉｖｅ）２２を備える。
【００１０】
パーソナルコンピュータ１は、コンピュータ本体２とディスプレイユニット３とが、ヒンジ５を介して回動自在に設けられている。コンピュータ本体２は、タッチパッド６と、キーボード７と、電源スイッチ８と、ＯＤＤ２２と、Ｅｊｅｃｔスイッチ２３とを有する。ディスプレイユニット３には、中央部にディスプレイ４が設けられている。
【００１１】
ＯＤＤ２２は、光ディスクを保持し、本体内に格納するためのトレイを有する。トレイの側面には、本体内に格納したトレイを排出させるためのＥｊｅｃｔスイッチ２３が設けられている。このＥｊｅｃｔスイッチ２３を押下することで、トレイを排出し、トレイに保持されている光ディスクを取り出すことができる。排出したトレイを再び本体内に挿入する際はＯＤＤ２２に対して電源供給は不要であり、手動で再挿入される。
【００１２】
ユーザが、パーソナルコンピュータ１のＯＤＤ２２に光ディスクを挿入し、光ディスクに記憶されているコンテンツを視聴する場合について想定する。ユーザが、コンテンツの視聴を終了した場合、挿入していた光ディスクを取り出し忘れて、パーソナルコンピュータ１の電源をＯＦＦする虞がある。
【００１３】
このようにＯＤＤ２２内に残された光ディスクを取り出すためには、再びパーソナルコンピュータ１のシステム電源をＯＮする必要がある。即ち、パーソナルコンピュータ１本体のシステム電源をＯＦＦした場合、ＯＤＤ２２に対する電源供給も停止されるためＥｊｅｃｔスイッチ２３を押下してもトレイを排出することができない。
【００１４】
従って、再びパーソナルコンピュータ１本体の電源を入れてからでないと従来技術ではトレイを排出することができなかった。パーソナルコンピュータ１の電源を投入してから、ＯＤＤ２２に電源が供給されるまで待機する必要があり、利便性に欠ける。
【００１５】
上述した課題を解決するため、本実施の形態においては、パーソナルコンピュータ１本体の電源を再投入することなしに、ＯＤＤ２２のトレイを排出することができるように電源制御を行う。以下、本実施の形態について説明する。
【００１６】
図２を用いて、本実施の形態に係るパーソナルコンピュータ１の機能について説明する。図２は、実施形態の情報処理装置の機能を示すブロック図である。
パーソナルコンピュータ１は、ディスプレイ４と、タッチパッド６と、キーボード７と、電源スイッチ８と、ＣＰＵ１０と、メモリコントローラ１１と、主メモリ１２と、グラフィックスコントローラ１３と、ＶＲＡＭ１４と、サウスブリッジ１５と、ＨＤＤ１６と、ＢＩＯＳ−ＲＯＭ１７と、ＥＣ／ＫＢＣ１８と、電源コントローラ１９と、バッテリ２０と、ＡＣアダプタ２１と、ＯＤＤ２２と、Ｅｊｅｃｔスイッチ２３とから構成される。ＥＣ／ＫＢＣ１８は、ＯＤＤ制御モジュール１８ａと、タイマ１８ｂとを備える。
【００１７】
ＣＰＵ１０は、本パーソナルコンピュータ１の動作を制御するために設けられたプロセッサであり、ＨＤＤ１６から主メモリ１２にロードされるオペレーティングシステム（ＯＳ５０）及び各種アプリケーションプログラムを実行する。またＣＰＵ１０は、ＢＩＯＳ−ＲＯＭ１７に格納されたシステムＢＩＯＳ５１を主メモリ１２にロードした後、実行する。システムＢＩＯＳ５１はハードウェア制御のためのプログラムである。
【００１８】
メモリコントローラ１１は、主メモリ１２に対するアクセスを制御する。主メモリ１２は、ＨＤＤ１６に記憶されるオペレーティングシステム（ＯＳ５０）及び各種アプリケーションプログラムや、ＢＩＯＳ−ＲＯＭ１７に格納されたシステムＢＩＯＳ５１を展開するためのいわゆるワーキングメモリである。
【００１９】
グラフィックスコントローラ１３は、本コンピュータのディスプレイモニタとして使用されるディスプレイ４を制御する表示コントローラである。このグラフィックスコントローラ１３はオペレーティングシステム／アプリケーションプログラムによってＶＲＡＭ１４に描画された表示データから、ディスプレイ４に表示すべき表示イメージを形成する映像信号を生成する。
【００２０】
サウスブリッジ１５は、ＢＩＯＳ−ＲＯＭ１７へのアクセスや、ＨＤＤ１６及びＯＤＤ２２等のディスクドライブ（Ｉ／Ｏデバイス）の制御を行う。
ＨＤＤ１６は、ＯＳ５０及び各種アプリケーションプログラム等を記憶する記憶装置である。ＢＩＯＳ−ＲＯＭ１７は、ハードウェア制御のためのプログラムであるシステムＢＩＯＳ５１を格納する書き換え可能な不揮発性メモリである。
【００２１】
ＥＣ／ＫＢＣ１８は、入力手段としてのタッチパッド６、キーボード７の制御を行う。ＥＣ／ＫＢＣ１８はパーソナルコンピュータ１のシステム状況に関わらず、各種のデバイス（周辺機器、センサ、電源回路等）を監視し制御するワンチップ・マイコンである。またＥＣ／ＫＢＣ１８は、ユーザによる電源スイッチ８の操作に応じて、電源コントローラ１９と共同して、本パーソナルコンピュータ１をパワーオン／パワーオフする機能を有している。
【００２２】
ＯＤＤ制御モジュール１８ａは、パーソナルコンピュータ１のシステム電源がＯＦＦされる場合に、ＯＤＤ２２の制御を行う。即ち、ユーザ操作によって入力されたシステム電源ＯＦＦを指示するコマンドが、ＢＩＯＳ５０を経由してＥＣ／ＫＢＣ１８に入力される。すると、ＯＤＤ制御モジュール１８ａは、電源コントローラ１９からＡＣアダプタ２１が外部電源に接続されているか否かを示す検出結果を受信する。
【００２３】
ＡＣアダプタ２１が外部電源に接続されていない場合即ちバッテリ駆動である場合は、ＡＣアダプタ２１とパーソナルコンピュータ１とが電源ケーブルで接続されていないため、携帯して使用していることが想定される。この場合、誤ってＥｊｅｃｔスイッチ２３が押下されることが起こる虞があるため、ＯＤＤ２２に対する電源供給を停止し、誤ってトレイが排出されることを防止する。
【００２４】
一方、ＡＣアダプタ２１が外部電源に接続されている場合は、ＡＣアダプタ２１とパーソナルコンピュータ１とが電源ケーブルで接続され、机上に載置して使用することが想定される。この場合にはＥｊｅｃｔスイッチ２３が誤って押下される可能性はバッテリ駆動時に比べて低くなる。従って、タイマ１８ｂで計時する所定時間の間はＯＤＤ２２に対する電源供給を継続し、Ｅｊｅｃｔスイッチ２３が操作された場合にはトレイの排出を可能とする。この構成により、パーソナルコンピュータ１のシステム電源をＯＦＦした後であっても、所定時間の間は、パーソナルコンピュータ１のシステム電源を再びＯＮすることなくＯＤＤ２２のトレイを排出することができる。
【００２５】
電源コントローラ１９は、外部電源がＡＣアダプタ２１を介して供給されている場合、ＡＣアダプタ２１から供給される外部電源を用いてパーソナルコンピュータ１の各コンポーネントに供給すべきシステム電源を生成する。また、電源コントローラ１９は、外部電源がＡＣアダプタ２１を介して供給されていない場合、バッテリ２０を用いてパーソナルコンピュータ１の各コンポーネント（コンピュータ本体２及びディスプレイユニット３）に供給すべきシステム電源を生成する。
【００２６】
電源コントローラ１９は、ＡＣアダプタ２１が外部電源と接続されているかを検出し、ＯＤＤ制御モジュール１８ａに通知する。
ＯＤＤ２２は、光ディスクを再生するドライブである。ＯＤＤ２２は光ディスクを保持するトレイを有し、このトレイを本体内に収容した状態で光ディスクを読み取り光ディスクに記憶されている各種のデータを再生する。具体的にはスピンドルモータが光ディスクを回転させ、光ピックアップヘッドが光ディスクに光ビームを照射することで、光ディスクの反射光の検出信号を出力することで光ディスクに記憶されているデータを読み取ることができる。また、トレイの側面にはトレイを排出することを指示するためのＥｊｅｃｔボタン２３が備えられている。
【００２７】
本実施の形態においては、ＯＤＤ２２はサウスブリッジ１５と共に、ＥＣ／ＫＢＣ１８にも接続されている。ＥＣ／ＫＢＣ１８は、パーソナルコンピュータ１のシステム状況に関わらず、電源供給がされているのでＯＤＤ２２を介して入力されるＥｊｅｃｔスイッチ２３からのトレイ排出の指示を常時検出することができる。
【００２８】
次に図３を用いてパーソナルコンピュータ１のシステム電源をＯＦＦする場合の動作について説明する。図３は、実施形態の情報処理装置の電源供給停止の手順を説明する図である。
【００２９】
まずユーザの電源スイッチ８や画面上の操作によって、パーソナルコンピュータ１のシステム電源をＯＦＦすることが選択されると、この電源ＯＦＦの指示をＯＳ５０が受信する。電源ＯＦＦの指示は、ＯＳ５０からＢＩＯＳ５１を経由して、各部に伝送される。電源ＯＦＦ指示を受信したＥＣ／ＫＢＣ１８は、電源コントローラ１９と共同して、ＥＣ／ＫＢＣ１８とＯＤＤ２２以外のハードウェアに対しては電源供給を停止する。一方、ＥＣ／ＫＢＣ１８を経由して電源ＯＦＦ指示を受信したＯＤＤ制御モジュール１８ａは、図４に示す電源制御処理を実行した後、ＯＤＤ２２へ電源ＯＦＦ指示を伝送する。
【００３０】
以上、図３に示したように、パーソナルコンピュータ１のシステム電源をＯＦＦする指示、即ちバッテリ２０若しくはＡＣアダプタ２１から供給される電源を各部に供給することを停止する指示がされると、ＯＤＤ２２に対しては他のハードウェアと別の制御がされる。即ち、ＯＤＤ２２に対する電源制御は、ＯＤＤ制御モジュール１８ａによって独立に実行される。このＯＤＤ制御モジュール１８ａによるＯＤＤ２２の電源制御について、図４を用いて説明する。
【００３１】
図４は、実施形態の情報処理装置の電源制御手順を示すフローチャートである。
まず、ＥＣ／ＫＢＣ１８は、ＢＩＯＳ５１からパーソナルコンピュータ１のシステム電源をＯＦＦする指示を受信したか否かを判別する（ステップＳ１０１）。ステップＳ１０1で判別した結果、パーソナルコンピュータ１のシステム電源をＯＦＦする指示を受信していないと判別した場合（ステップＳ１０１のＮｏ）、ステップＳ１０１に戻る。
【００３２】
一方、パーソナルコンピュータ１のシステム電源をＯＦＦする指示を受信したと判別した場合（ステップＳ１０１のＹｅｓ）、ＥＣ／ＫＢＣ１８は電源コントローラ１９と共同して、ＥＣ／ＫＢＣ１８とＯＤＤ２２以外のハードウェアに対する電源供給を停止する（ステップＳ１０２）。
【００３３】
次に、ＯＤＤ制御モジュール１８ａは、電源コントローラ１９からＡＣアダプタ２１が外部電源に接続されているか否かを示す検出結果を受信し、ＡＣアダプタ２１が外部電源に接続がされているか否かを判別する（ステップＳ１０３）。
【００３４】
ステップＳ１０３で判別した結果、ＡＣアダプタ２１が外部電源に接続がされていないと判別した場合（ステップＳ１０３のＮｏ）、ステップＳ１０７に進む。即ち、バッテリ駆動であり携帯していると想定されるので、Ｅｊｅｃｔスイッチ２３が誤って押下されＯＤＤ２２のトレイが排出されることを防止するために、ＯＤＤ２２の電源をＯＦＦする。
【００３５】
一方、ステップＳ１０３で判別した結果、ＡＣアダプタ２１が外部電源に接続されていると判別した場合（ステップＳ１０３のＹｅｓ）、タイマ１８ｂで計時を開始する（ステップＳ１０４)。次に、ＯＤＤ制御モジュール１８ａは、Ｅｊｅｃｔスイッチ２３の操作があったか否かを判別する（ステップＳ１０５）。
【００３６】
ステップＳ１０５で判別した結果、Ｅｊｅｃｔスイッチ２３の操作があったと判別した場合（ステップＳ１０５のＹｅｓ）、ステップＳ１０７に進む。即ち、所定時間内にトレイの排出が指示された場合には、トレイを排出すると共にＯＤＤ２２に対する電源供給を停止する。
【００３７】
一方、ステップＳ１０５で判別した結果、Ｅｊｅｃｔスイッチ２３の操作がないと判別した場合（ステップＳ１０５のＮｏ）、ＯＤＤ制御モジュール１８ａは、タイマ１８ｂを参照して、メモリに記憶している所定時間が経過したか否かを判別する（ステップＳ１０６）。
【００３８】
ステップＳ１０６で判別した結果、所定時間が経過していないと判別した場合（ステップＳ１０６のＮｏ）、ステップＳ１０５に戻る。即ち、所定時間が経過するまでＥｊｅｃｔスイッチ２３が操作されるか否かを検出することを続ける。
【００３９】
ステップＳ１０６で判別した結果、所定時間が経過したと判別した場合（ステップＳ１０６のＹｅｓ）、ステップＳ１０７に進む。以上で、本実施の形態における電源制御手順は終了する。
【００４０】
以上のように構成される本実施の形態によれば、パーソナルコンピュータ１のシステム電源がＯＦＦされた場合であっても、ＯＤＤ２２に対する電源供給を所定時間継続し、トレイの排出を可能にする。
【００４１】
また、ＯＤＤ制御モジュール１８ａは、ＡＣアダプタ２１が外部電源に接続されていない場合はＯＤＤ２２に対する電源供給を停止し、Ｅｊｅｃｔスイッチ２３が携帯中に誤って押下されトレイが排出されることを防止する。
【００４２】
さらに、ＯＤＤ制御モジュール１８ａは、所定時間内にＥｊｅｃｔスイッチ２３が押下された場合には、トレイを排出し、即座にＯＤＤ２２に対する電源供給を停止する。トレイを排出した後に、即座に電源供給を停止することで、パーソナルコンピュータ１の省電力に貢献することができる。
【００４３】
尚、実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を構成できる。例えば、実施形態に示される前構成要素から幾つかの構成要素を削除してもよい。さらに、異なる実施形態に亘る構成要素を適宜組み合わせても良い。
【符号の説明】
【００４４】
１…パーソナルコンピュータ、２…コンピュータ本体、３…ディスプレイユニット、４…ディスプレイ、５…ヒンジ、６…タッチパッド、７…キーボード、８…電源スイッチ、１０…ＣＰＵ、１１…メモリコントローラ、１２…主メモリ、１３…グラフィックスコントローラ、１４…ＶＲＡＭ、１５…サウスブリッジ、１６…ＨＤＤ、１７…ＢＩＯＳ−ＲＯＭ、１８…ＥＣ／ＫＢＣ、１８ａ…ＯＤＤ制御モジュール、１８ｂ…タイマ、１９…電源コントローラ、２０…バッテリ、２１…ＡＣアダプタ、２２…ＯＤＤ、２３…Ｅｊｅｃｔスイッチ、５０…ＯＳ、５１…ＢＩＯＳ。
【図１】
0005112490.tif 000002
【図２】
0005112490.tif 000003
【図３】
0005112490.tif 000004
【図４】
0005112490.tif 000005